(57)【要約】【課題】施錠装置が設けられた窓用シャッターにおいて、手動で開閉操作を行うための握り部を、梱包し出荷する際に適切に収納することができるようにする。【解決手段】シャッターカーテン２の下端部に設けられた施錠装置錠Ｒの本体部８の解錠レバー８ａに操作紐９を連結し、該操作紐９の他端に握り部材１０を設けたものにおいて、座板６及び前記本体部８に握り部材１０を仮保持する構成とした。【選択図】図２
2011132712.tif 000002
【特許請求の範囲】
【請求項１】
窓用シャッターのシャッターカーテン下端部の座板にシャッターカーテンの全閉姿勢への変姿でシャッターカーテンを施錠状態とし、解錠レバーの解錠操作で解錠する施錠装置を設け、前記解錠レバーに操作紐の一端部を連結し、他端部にガイドレール溝及びガイドレールとスラット間の隙間に挿抜自在な握り部材を設けたものにおいて、前記施錠装置の本体部に前記握り部材を仮保持するための保持凹部を設けるとともに、座板又は施錠装置の本体部と座板との間に、前記握り部材を仮保持するための保持空間部を設けたことを特徴とする窓用シャッター。
【発明の詳細な説明】
【技術分野】
【０００１】
本発明は、住宅の窓開口部に配される窓用シャッターの技術分野に関するものである。
【背景技術】
【０００２】
一般に、建物用シャッターのなかには、例えば住宅の窓開口部の左右両側にガイドレールを配し、該ガイドレールに案内される状態でシャッターカーテンを開閉作動するよう構成したものがある。このような窓用シャッターのシャッターカーテンを手動開閉するものでは、シャッターカーテンを施錠する施錠装置の解錠レバーに操作紐を連結し、シャッターカーテンが全閉姿勢で施錠されている状態では、前記操作紐を上動させることにより施錠装置を解錠するとともにシャッターカーテンを開放作動させ、シャッターカーテンが全開姿勢となっている状態では、操作紐を下動させることにより閉鎖作動させることができるように構成し、シャッターの操作性を改善したものがある。
【先行技術文献】
【特許文献】
【０００３】
【特許文献１】特開２００７−２５５１４３号公報
【発明の概要】
【発明が解決しようとする課題】
【０００４】
ところで、前記従来のものは、操作紐の先端に操作用の握り部材を設け、該握り部材をシャッター全閉時にはシャッターカーテンに磁着させ、全開時にはサッシの竪框に嵌着させるようにしたものであるが、さらに、出願人は、前記従来のものを改良した発明を特願２００９−６９２８１として出願したが、このものにおいては、操作紐の遊端部に半硬質の樹脂製の握り部材を設け、シャッターカーテンが全閉姿勢のときは、操作紐を上方に引き回して操作者が操作しやすい高さ位置のガイドレールとスラットと間に握り部材を差し込んで保持させ、また、シャッターカーテンが全開姿勢のときは、操作紐を下方に引き回して握り部材をガイドレール溝に保持させることで、握り部材を操作者の操作しやすい高さに位置させる構成とした。しかし、シャッターを梱包し客先へ出荷する過程では握り部材を保持すべき適当な箇所がなく、ここに本発明の解決すべき課題がある。
【課題を解決するための手段】
【０００５】
本発明は、上記の如き実情に鑑みこれらの課題を解決することを目的として創作されたものであって、請求項１の発明は、窓用シャッターのシャッターカーテン下端部の座板にシャッターカーテンの全閉姿勢への変姿でシャッターカーテンを施錠状態とし、解錠レバーの解錠操作で解錠する施錠装置を設け、前記解錠レバーに操作紐の一端部を連結し、他端部にガイドレール溝及びガイドレールとスラット間の隙間に挿抜自在な握り部材を設けたものにおいて、前記施錠装置の本体部に前記握り部材を仮保持するための保持凹部を設けるとともに、座板又は施錠装置の本体部と座板との間に、前記握り部材を仮保持するための保持空間部を設けたことを特徴とする窓用シャッターである。
【発明の効果】
【０００６】
請求項１の発明とすることにより、窓用シャッターを客先へ梱包出荷する際、握り部材を座板又は施錠装置と座板の間に設けた保持空間部或いは施錠装置の保持凹部に仮保持することができるだけでなく、さらには、施錠装置に操作紐と握り部材をセットし補修用部品として施錠装置を出荷する際にも、握り部材を保持凹部に仮保持することができて好都合である。
【図面の簡単な説明】
【０００７】
【図１】図１はシャッターカーテンの全閉姿勢におけるシャッターの屋内側からの正面図である。
【図２】図２はシャッターカーテンの全開姿勢におけるシャッターの屋内側からの正面図である。
【図３】図３は座板と施錠装置を説明する屋内側からの正面図である。
【図４】図４は座板と施錠装置を説明する側面図である。
【図５】図５（Ａ）は施錠装置の本体部に設けた保持凹部に握り部材を仮保持した状態を説明する正面図、（Ｂ）は握り部材の正面図、（Ｃ）は握り部材の下面図である。
【図６】図６（Ａ）、（Ｂ）はシャッター閉鎖時に握り部材を挿し込んだ状態を説明する平面図及び側面図、（Ｃ）、（Ｄ）、はシャッター開放時に握り部材を挿し込んだ状態を説明する平面図及び側面図である。
【発明を実施するための形態】
【０００８】
以下、本発明の実施の形態について、図面に基づいて説明する。図で、１は住宅の窓部に設けられるバランス式（手動式）のシャッターであって、該シャッター１を構成するシャッターカーテン２は、スラット３を上下方向に多数枚連結してあり、該シャッターカーテン２の上端部が、窓部上方のシャッターケースＣに正逆回転自在に内装される巻取りドラム４に連結されている。前記巻取りドラム４には、シャッターカーテン２が巻出されることに伴い、該巻出されたシャッターカーテン２の自重にバランスする付勢力を蓄勢するように構成されバランス弾機４ａが設けられている。そして、シャッターカーテン２は、左右両側縁部が窓部屋外側の左右に立設されたガイドレール５に嵌挿されて上下方向の移動案内を受けるように構成され、シャッターカーテン２を下方へ引き下げる閉鎖操作がなされることにより、シャッターカーテン２が巻取りドラム４から巻出されて開口部を閉鎖する全閉姿勢となるとともに、前述したように、バランス弾機４ａが蓄勢され、上方へ引き上げる開放操作がなされることにより、シャッターカーテン２がバランス弾機４ａの付勢力を受ける状態で上動して巻取りドラム４に巻取られ、開口部を開放する全開姿勢となるように構成されており、これらの構成は何れも従来通りである。
【０００９】
ここで、前記シャッターカーテン２は、前述したように複数枚のスラット３を用いて構成されるが、各スラット３は、長尺の金属材をロールフォーミング成型したもので、屋外側（外側）に向けて膨出するよう湾曲形成された湾曲面と、その上下縁部（短尺方向両端部）に形成される側面視ロール状の円弧面を有する一対のインターロック部とで構成されている。そして、シャッターカーテン２は、上下のスラット３、３のインターロック部同士を嵌入させて揺動自在に構成されている。
【００１０】
一方、前記ガイドレール５は、屋内外方向（表裏方向）に対向する一対の溝側片５ａ、５ｂと、これら溝側片５ａ、５ｂを連結する溝底片５ｃとにより、左右方向内方が開口し、シャッターカーテン２の左右の側縁部が上下方向移動自在に嵌挿するガイド溝５ｄを備えて構成されている。尚、シャッターカーテン２の移動案内をするガイド溝５ｄの溝開口５ｅはガイド溝５ｄの溝奥側の溝幅よりも狭められており、ガイド溝５ｄを蟻溝形状としている。また、前記溝開口５ｅには、それぞれ対向するモヘアポケット５ｆがレール長さ方向全長にわたって形成されており、これらモヘアポケット５ｆに、シャッターカーテン２の保護部材であるとともに騒音防止効果を図るためのモヘア（図示せず）の基端部が抜止め状に嵌入支持されるように構成されている。
【００１１】
また、シャッターカーテン２の最下端には座板６が設けられているが、該座板６は、上下方向を向く垂直面で構成されるスラット片部６ａと、該スラット片部６ａの下方から屋内側に延出する補強片部６ｂと、屋外側に延出する水切り片６ｃと、スラット片部６ａの屋内側中段部に設けた錠ガイド部６ｄと、スラット片部６ａの上縁部に形成されるインターロック片部６ｅとから構成されており、該インターロック片部６ｅを介して上側のスラット３に連結されている。また、前記錠ガイド部６ｄは、１対の側面視略Ｌ字状片により中央に蟻溝部を構成し、該蟻溝部に後述するラッチバー１８ａ、１８ｂを保持するようになっている。
【００１２】
そして、座板６には左右方向中間位置に施錠装置Ｒの本体部８が設けられており、シャッターカーテン２が全閉姿勢になると、左右のガイドレール５下端部の溝底片５ｃに設けたラッチ受け７に自動的に係止することで、施錠状態となるように構成されている。前記施錠装置Ｒの本体部８は、座板６の左右方向に少し偏倚した位置で、錠ガイド部６ｄの屋内側に取付けられている。そして、本体部８に内蔵された図示しない施解錠機構には、左右のラッチ受け７に係脱自在に係止する左右一対のラッチバー１８ａ、１８ｂの基端部が連結されているが、これらラッチバー１８ａ、１８ｂは、錠ガイド部６ｄの蟻溝部に嵌入しガイドされる状態で、左右方向への移動自在に構成されている。さらに、本体部８には、前記一対のラッチバー１８ａ、１８ｂをそれぞれ左右方向外方に進出するよう（施錠状態となるよう）付勢するための図示しない一対の付勢弾機と、解錠レバー８ａとが設けられている。前記解錠レバー８ａは、前記付勢弾機の付勢力に抗して上動操作がなされて上方位置に変位するとラッチバー１８ａ、１８ｂを左右方向内方に退避し解錠されるように構成されている。また、解錠レバー８ａの上動操作を解除した場合は、前記付勢弾機の付勢力を受けて解錠レバー８ａが下方位置に変位するとともに、ラッチバー１８ａ、１８ｂが左右方向外方に向けて進出する自然状態に復帰するように構成されている。さらに、本体部８には、解錠レバー８ａの上方変位と下方変位とを規制する規制部がそれぞれ設けられており、解錠レバー８ａが上方位置を越えて上方変位すること、下方位置を越えて下方変位することをそれぞれ規制するように構成されている。
【００１３】
このように構成された施錠装置Ｒは、シャッターカーテン２が閉鎖操作され、シャッターカーテン２が閉鎖作動している状態では、一対のラッチバー１８ａ、１８ｂは左右方向外方に進出する自然状態となっている。そして、前記状態からシャッターカーテン２が全閉姿勢に閉鎖作動する過程では、左右のラッチバー１８ａ、１８ｂは、ガイドレール５のラッチ受け７に当接し、この状態からさらに閉鎖作動することにより、ラッチバー１８ａ、１８ｂがラッチ受け７に押圧される状態で付勢弾機の付勢力に抗して左右方向内方に退避しつつ下動し、ラッチバー１８ａ、１８ｂがラッチ受け７の下方に至る（乗り越える）ことに伴い、ラッチバー１８ａ、１８ｂがラッチ受け７の下方で左右方向外方に向けて進出する自然状態となり、ラッチバー１８ａ、１８ｂとラッチ受け７とが係止することによりシャッターカーテン２の開放を規制するように構成されている。これにより、施錠装置Ｒは、シャッターカーテン２の全閉姿勢への変姿に伴い、自動的にシャッターカーテン２を施錠状態とするように構成されている。これに対し、シャッターカーテン２を開放操作する場合では、本体部８の解錠レバー８ａを上動操作（解錠操作）して上方位置に変位せしめ、ラッチバー１８ａ、１８ｂを付勢力に抗して左右方向内方に向けて退避させ、ラッチバー１８ａ、１８ｂとラッチ受け７との係止を解除するべく施錠装置Ｒの解錠操作をしながら、シャッターカーテン２を開放操作することにより、シャッターカーテン２が開放するように構成されている。
【００１４】
そして、前記施錠装置Ｒを構成する本体部８の解錠レバー８ａに、シャッターカーテン２の開閉操作をするための操作紐９の一端部９ａが連結されている。前記操作紐９は、樹脂製ロープ、紐体、帯状体、ワイヤ等、長尺状で、かつ、可撓性のある材料で構成することができ、本実施の形態では、樹脂製ロープが用いられている。そして、操作紐９の他端部９ｂには、握り部材１０が連結されており、操作紐９、または、握り部材１０を把持して上下方向に操作することにより、該操作力が解錠レバー８ａを介してシャッターカーテン２に作用して、シャッターカーテン２の開閉作動がなされるように構成されている。そして、後述するように、シャッターカーテン２の開閉操作の後に、握り部材１０をガイドレール５のガイド溝５ｄの溝開口５ｅに形成される隙間に挿抜自在に挿し込むことで握り部材１０を適宜高さに保持することができるように構成されている。
【００１５】
握り部材１０は、硬質、または、半硬質のゴム質樹脂材を用い、長尺方向一半部に形成される厚板状の把持部１０ａと、該把持部１０ａの他端側に形成され、ガイド溝５ｄの溝開口５ｅに形成される隙間に挿抜自在に挿し込まれる作用部１０ｂと、該作用部１０ｂの挿し込み方向先端側に形成されて、作用部１０ｂに先行してガイド溝５ｄに挿し込まれ、握り部材１０のガイド溝５ｄに対する挿し込み深さを深くする薄板状の誘導部１０ｃとにより構成されている。また、作用部１０bの一の面には複数の突起部１０ｈが設けられており、作用部１０ｂは差込み時にスラット３とガイドレール５に当接する。また、部材正面部１０ｄ及び部材裏面部１０ｅはやや丸みを帯びた形状としている。握り部材１０は、図５及び図６に示すように、作用部１０ｂは楔形状となるように形成されており、ガイド溝５ｄの溝開口５ｅに形成される隙間に挿し込んだとき、挿し込み深さに応じて板厚が変化して、スラット３の有無やその形状が異なるものに使用した場合にも隙間の大きさに拘わらず挟持保持されるように形成されている。
【００１６】
このように構成された握り部材１０は、シャッターカーテン２の全閉姿勢では、シャッターカーテン２の屋内側面とガイドレール５の屋内側溝側片５ａに形成されるモヘアポケット５ｆとの間に形成される隙間に挿し込まれて挟持保持され、シャッターカーテン２の全開姿勢では、ガイド溝５ｄの溝開口５ｅに深く差し込まれて、握り部材１０をガイドレール５の操作しやすい高さ位置に挟持保持させることができて、無理な姿勢をすることなく操作紐９を把持し楽に開閉操作を行うことができる。
【００１７】
また、座板６及び施錠装置Ｒの本体部８は、シャッターを梱包出荷する際に、握り部材１０を、それらが構成する部材間の隙間に挟み込んで仮保持できるように構成されている。具体的には、座板６の補強片部６ｂの上面と、本体部８下面又は錠ガイド部６ｄ下側片の下面、あるいは、その両者の下面の間に仮保持する構成であり、これら前記各部材間の寸法を握り部材１０の厚みより少し小さく設定し、握り部材１０を少し弾性変形させて挟み込んで仮保持が出来るようになっている。また、本体部８は、図５（Ａ）に示すように、本体部８に操作紐９と握り部材１０を組み込んで補修部品等として梱包出荷する際などに好都合なように、本体部８の正面視左上部に握り部材１０をほぼ収納可能な保持凹部８ｂが設けられている。保持凹部８ｂは、長方形状の凹部で高さ寸法が握り部材１０の厚み、特に把持部１０ａの厚みより少し小さく設定されており、出荷時に握り部材１０を弾性変形させて仮保持し収納できるようになっている。なお、６ｆは、上限の全開位置を越えてシャッターカーテン２がシャッターケースＣ内に巻き込まれないようにする為のストッパー６ｆである。
【００１８】
このように構成することで、シャッター全部又は本体部８に操作紐９と握り部材１０をセットして補修部品として出荷する際、その保持取扱いに困っていた握り部材１０を座板６や施錠装置の本体部８に適切に仮保持することができる。また、出荷梱包時には、操作紐９を適宜寸法に折り返して中央部を引き解け結びすることで、使用時に握り部材１０を引き出すと自然にほどける構成としている。なお、本発明に加え、操作紐９を前記した結びとすることにより、握り部材１０を出荷時に適切に仮保持できるばかりでなく、建物にシャッターを設置後、握り部材１０を保持位置から引き出すことで、手間無く自然に操作紐９が解けて使用可能となり、極めて好都合である。
【産業上の利用可能性】
【００１９】
本発明は、住宅等の建築物の開口部に設けられる建築用開閉装置に利用することができる。
【符号の説明】
【００２０】
１  シャッター
２  シャッターカーテン
３  スラット
４  巻取りドラム
５  ガイドレール
６  座板
８  本体部
９  操作紐
１０  握り部材
【図１】
2011132712.tif 000003
【図２】
2011132712.tif 000004
【図３】
2011132712.tif 000005
【図４】
2011132712.tif 000006
【図５】
2011132712.tif 000007
【図６】
2011132712.tif 000008